(57)【要約】【課題】各地域の気象情報の状態をナビゲーション地図上で把握可能にする。【解決手段】本実施形態の地図表示装置（２）は、ナビゲーション地図を表示部（１）に表示する地図表示装置（２）であって、表示部（１）に表示する地図の表示範囲を特定する表示範囲特定手段（２１２）と、表示範囲の地図上に表示する各地域を特定する地域特定手段（２１３）と、各地域に関する気象情報を取得する取得手段（２１４）と、各地域の気象情報に対応する描画デザインを決定する決定手段（２１５）と、決定した描画デザインで地図上の各地域を描画した地図画像を表示部（１）に表示する地図表示制御手段（２１６）と、を有することを特徴とする。【選択図】図１
2020134701.tif 000002
【特許請求の範囲】
【請求項１】
ナビゲーション地図を表示部に表示する地図表示装置であって、
前記表示部に表示する前記地図の表示範囲を特定する表示範囲特定手段と、
前記表示範囲の前記地図上に表示する各地域を特定する地域特定手段と、
前記各地域に関する気象情報を取得する取得手段と、
前記各地域の気象情報に対応する描画デザインを決定する決定手段と、
前記決定した描画デザインで前記地図上の前記各地域を描画した地図画像を前記表示部に表示する地図表示制御手段と、
を有することを特徴とする地図表示装置。
【請求項２】
前記気象情報は、気温情報を含む、ことを特徴とする請求項１記載の地図表示装置。
【請求項３】
前記取得手段は、前記気象情報をメッシュ単位で取得し、前記地域に含まれる各メッシュの前記気象情報を基に、前記各地域の代表気象情報を算出し、
前記決定手段は、前記各地域の代表気象情報に対応する描画デザインを決定する、ことを特徴とする請求項１または２記載の地図表示装置。
【請求項４】
前記決定手段は、前記気象情報に応じて、当該気象情報の地域で表示する施設情報を決定し、
前記地図表示制御手段は、前記決定した施設情報を前記地図上に描画した地図画像を前記表示部に表示する、ことを特徴とする請求項１から３の何れかに記載の地図表示装置。
【請求項５】
前記地図上に表示する前記地域は、前記地図の表示縮尺に応じて異なる、ことを特徴とする請求項１から４の何れかに記載の地図表示装置。
【請求項６】
前記取得手段は、前記地域を示すポリゴンに含まれるメッシュを特定し、特定した前記メッシュの前記気象情報の平均値を前記地域の代表気象情報として算出する、ことを特徴とする請求項３記載の地図表示装置。
【請求項７】
ナビゲーション地図を表示部に表示する地図表示装置であって、
前記表示部に表示する前記地図の表示範囲を特定する表示範囲特定手段と、
前記表示範囲の前記地図上に表示する各地域を特定する地域特定手段と、
前記各地域に関するエリア情報を取得する取得手段と、
前記各地域のエリア情報に対応する描画デザインを決定する決定手段と、
前記決定した描画デザインで前記地図上の前記各地域を描画した地図画像を前記表示部に表示する地図表示制御手段と、
を有することを特徴とする地図表示装置。
【請求項８】
ナビゲーション地図を表示部に表示する地図表示装置が行う方法であって、
前記表示部に表示する前記地図の表示範囲を特定する表示範囲特定工程と、
前記表示範囲の前記地図上に表示する各地域を特定する地域特定工程と、
前記各地域に関する気象情報を取得する取得工程と、
前記各地域の気象情報に対応する描画デザインを決定する決定工程と、
前記決定した描画デザインで前記地図上の前記各地域を描画した地図画像を前記表示部に表示する地図表示制御工程と、
を前記地図表示装置が行うことを特徴とする、方法。
【請求項９】
ナビゲーション地図を表示部に表示する地図表示装置のコンピュータに実行させるプログラムであって、
前記表示部に表示する前記地図の表示範囲を特定する表示範囲特定処理と、
前記表示範囲の前記地図上に表示する各地域を特定する地域特定処理と、
前記各地域に関する気象情報を取得する取得処理と、
前記各地域の気象情報に対応する描画デザインを決定する決定処理と、
前記決定した描画デザインで前記地図上の前記各地域を描画した地図画像を前記表示部に表示する地図表示制御処理と、
を前記コンピュータに実行させることを特徴とする、プログラム。
【発明の詳細な説明】
【技術分野】
【０００１】
本発明は、地図を表示する技術に関する。
【背景技術】
【０００２】
特許文献１には、季節、天候、時間帯に応じてナビゲーション地図の表示色を変化させ、現実の車外の風景との違和感を少なくする技術について開示されている。
【先行技術文献】
【特許文献】
【０００３】
【特許文献１】特開平１０−２２１０９３号公報
【発明の概要】
【発明が解決しようとする課題】
【０００４】
特許文献１は、天候に応じてナビゲーション地図の表示色を変化させることで、現実の車外の天候を把握することができる。しかし、特許文献１は、現在位置の天候に応じて地図の表示色を変化させるだけであるため、地図上の各地域の天候を把握することができない。このため、各地域の天候や気温などの気象情報を把握するには、例えば、天気地図等の別アプリを起動して閲覧しなければならない。その結果、例えば、ナビゲーション地図において目的地の気象情報を把握する場合や、目的地までの経路上の各地域の気象情報を把握する場合は、別アプリを起動する必要がある。
【課題を解決するための手段】
【０００５】
本発明は、上述の課題の少なくとも一部を解決するものであり、以下の形態として実現することが可能である。
【０００６】
本発明の一態様に係る地図表示装置は、
ナビゲーション地図を表示部に表示する地図表示装置であって、
前記表示部に表示する前記地図の表示範囲を特定する表示範囲特定手段と、
前記表示範囲の前記地図上に表示する各地域を特定する地域特定手段と、
前記各地域に関する気象情報を取得する取得手段と、
前記各地域の気象情報に対応する描画デザインを決定する決定手段と、
前記決定した描画デザインで前記地図上の前記各地域を描画した地図画像を前記表示部に表示する地図表示制御手段と、
を有することを特徴とする。
【図面の簡単な説明】
【０００７】
【図１】地図表示システムの構成例を示す図である。
【図２】エリア情報の一例である気温情報を示す図である。
【図３】第１の実施形態の処理動作例を示す図である。
【図４】第２の実施形態の処理動作例を示す図である。
【発明を実施するための形態】
【０００８】
以下、添付図面を参照して、本発明の好適な実施形態について説明する。なお、各図において、同一の符号を付したものは、同一又は同様の構成を有する。
【０００９】
（第１の実施形態）
＜地図表示システムの構成例＞
まず、図１を参照しながら、本実施形態に係る地図表示システムの構成例について説明する。図１は、本実施形態に係る地図表示システムの構成例を示す図である。
【００１０】
本実施形態に係る地図表示システムは、図１に示すように、利用者端末１、地図表示装置２、情報提供装置３がネットワークＮＷを介して接続して構成する。ネットワークＮＷは、有線、無線を問わずあらゆる通信形態が適用可能である。
【００１１】
情報提供装置３は、交通情報、災害情報、気象情報、河川情報などのエリア情報を地図表示装置２に提供する装置である。情報提供装置３は、サーバなどの装置があげられる。情報提供装置３は、制御部３１、記憶部３２を有して構成する。  
【００１２】
制御部３１は、情報提供装置３の各部を制御する。記憶部３２は、各種情報を記憶する。本実施形態の情報提供装置３は、地図上の特定のエリアに関する交通情報、災害情報、気象情報、河川情報などの各種エリア情報をエリア単位で区分して記憶部３２に記憶し、その記憶部３２に記憶した各種エリア情報をエリア単位で地図表示装置２に提供する。交通情報としては、渋滞情報、通行規制情報などの情報があげられる。災害情報としては、津波、地震、台風、土砂災害、竜巻などの情報があげられる。気象情報としては、例えば、雨雲、天候（晴、曇、雨、雪など）、降水量、降水確率、最高気温、現在気温、最低気温、紫外線強度、花粉飛散量、積雪量、日照時間、全天日射量、風速などの情報があげられる。河川情報としては、氾濫発生情報、水位情報などの情報があげられる。エリア情報は、現在の情報だけでなく、過去や将来の情報を時系列で記憶部３２に記憶する。
【００１３】
図２は、記憶部３２に記憶される気象情報のうち、現在気温を示した図である。図２に示すように、情報提供装置３は、地図情報を１ｋｍ四方のメッシュ単位で区分し、各メッシュに対して該メッシュの現在気温を対応付けて記憶部３２に記憶する。例えば、図２に示す例では、メッシュＡは、現在気温が２０℃であることを示す。情報提供装置３は、各種のエリア情報をメッシュ単位で区分して記憶部３２に記憶して管理することで、各種のエリア情報をメッシュ単位で地図表示装置２に提供することができる。メッシュ単位は、１ｋｍに限定せず、２５０ｍなどの任意の単位で区分することも可能である。また、エリア情報は、２５０ｍメッシュ、１ｋｍメッシュなどの複数の単位に区分して管理することも可能である。また、エリア情報は、メッシュ単位に区分するのではなく、行政区分（都道府県、市区町村、大字、町丁名、小字、街区）ポリゴン単位などの様々なエリア単位で管理することも可能である。
【００１４】
利用者端末１は、利用者が使用する端末である。利用者端末１は、スマートフォン、ＰＣなどの装置があげられる。利用者端末１は、制御部１１、記憶部１２、入出力部１３、位置情報取得部１４を有して構成する。
【００１５】
制御部１１は、利用者端末１の各部を制御する。制御部１１は、利用者端末１の利用者に対して、ナビゲーション地図を提供する。ナビゲーション地図は、目的地を設定する際に使用する地図、出発地から目的地までの経路探索結果を表示する際に使用する地図、目的地までの経路を案内する際に使用する地図などがあげられる。制御部１１は、表示対象地図の中心地点の緯度経度、表示縮尺、地図上に表示するエリア情報の種類などのパラメータを指定し、ナビゲーション地図の表示要求を地図表示装置２に送信し、地図表示装置２から表示対象地図の情報を取得し、入出力部１３を介して利用者端末１にナビゲーション地図を表示する。表示対象地図の中心地点の緯度経度は、位置情報取得部１４で取得した位置情報を用いてもよい。制御部１１がナビゲーション地図の表示要求を地図表示装置２に送信するトリガーとしては、例えば、地図の拡大・縮小操作を利用者端末１が受け付けた場合、地図の表示範囲の変更操作を利用者端末１が受け付けた場合、エリア情報種類の表示切替操作を利用者端末１が受け付けた場合、経路探索要求操作を利用者端末１が受け付けた場合、経路案内要求操作を利用者端末１が受け付けた場合などがあげられる。
【００１６】
記憶部１２は、利用者端末１で使用する各種情報を記憶する。入出力部１３は、利用者端末１と利用者との間の情報の入出力に使用される種々のインターフェースである。入出力部１３としては、例えば、入力部としてのタッチパネル、操作ボタン、マイク、出力部としてのタッチパネル、液晶パネル、スピーカなどがあげられる。入出力部１３は、地図を表示する表示部として機能する。位置情報取得部１４は、利用者端末１の現在位置を取得する。位置情報取得部１４は、例えば、ＧＰＳ（Global Positioning System）衛星からの電波や基地局からの情報を受信し、利用者端末１の現在位置を検知し、その検知した現在位置のデータ（緯度、経度、高さのデータ）を取得する。高さのデータは、気圧センサなどを用いて取得してもよい。位置情報取得部１４は、歩行者自律航法（ＰＤＲ:Pedestrian Dead Reckoning）などを用いて自己位置推定を行ってもよい。
【００１７】
地図表示装置２は、地図情報を利用者端末１に提供する装置である。地図表示装置２は、サーバなどの装置があげられる。地図表示装置２は、制御部２１、記憶部２２を有して構成する。
【００１８】
制御部２１は、地図表示装置２の各部を制御するほか、情報受付部２１１、表示範囲特定部２１２、地域特定部２１３、エリア情報取得部２１４、地図デザイン決定部２１５、地図表示制御部２１６として機能する。
【００１９】
情報受付部２１１は、利用者端末１からナビゲーション地図の表示要求などを受け付ける。ナビゲーション地図の表示要求には、表示対象地図の中心地点の緯度経度、表示縮尺、地図上に表示するエリア情報の種類などの情報が含まれる。
【００２０】
表示範囲特定部２１２は、情報受付部２１１が受け付けたナビゲーション地図の表示要求に含まれるエリア情報の種類を特定する。また、表示範囲特定部２１２は、情報受付部２１１が受け付けたナビゲーション地図の表示要求に含まれる表示対象地図の中心地点の緯度経度、表示縮尺などを基に、利用者端末１に提供するナビゲーション地図の表示範囲を特定する。特定するナビゲーション地図の表示範囲は、利用者端末１の表示範囲よりも一定範囲大きな領域（表示範囲＋バッファ）とすることが好ましい。これにより、利用者端末１で表示されたナビゲーション地図を動かしても再取得することなくナビゲーション地図を表示することができる。
【００２１】
地域特定部２１３は、表示範囲特定部２１２で特定した表示範囲の地図上に表示する各地域を特定する。例えば、表示範囲特定部２１２で特定した表示範囲の地図の表示縮尺が1/1500〜1/21000の場合は、表示範囲に含まれる市区町村名の各地域を特定する。また、表示範囲特定部２１２で特定した表示範囲の地図の表示縮尺が1/75000〜全国（1/780万）の場合は、表示範囲に含まれる都道府県名の各地域を特定する。これにより、表示範囲特定部２１２で特定した表示範囲の地図の表示縮尺に応じて地図上に表示する各地域を特定することができる。
【００２２】
エリア情報取得部２１４は、情報提供装置３から交通情報、災害情報、気象情報、河川情報などの各種エリア情報をエリア単位で取得する。エリア情報取得部２１４は、取得した各種エリア情報を後述するエリア情報記憶部２２３に記憶する。エリア情報取得部２１４は、エリア情報をメッシュ単位で定期的に取得する場合もある。例えば、気象庁の推計気象分布データを情報提供装置３から取得する場合、推定気象分布データを１時間に１回、１次、２次、３次メッシュで取得する。１次メッシュは約８０ｋｍ単位、２次メッシュは約１０ｋｍ単位、３次メッシュは約１ｋｍ単位の区画である。エリア情報取得部２１４は、エリア情報をメッシュ単位で取得した場合、各地域を示す行政区分ポリゴンに含まれるメッシュを特定し、その特定したメッシュのエリア情報の平均値を各地域の代表エリア情報として算出する。例えば、各メッシュと行政区分ポリゴンとを比較し、内外判定を行い、行政区分ポリゴン内に含まれる各メッシュを特定する。そして、特定した各メッシュのエリア情報の平均値を算出し、その算出した平均値を代表エリア情報とする。代表エリア情報を高精度に算出する場合は、３次メッシュのエリア情報を用いる。代表エリア情報を簡易に算出する場合は、１次メッシュ、２次メッシュのエリア情報を用いる。
【００２３】
地図デザイン決定部２１５は、地図上に表示する各地域の代表エリア情報に対応する地図デザインを決定する。例えば、都道府県レベル、市区町村レベル単位の地図デザインをエリア情報の種類及びエリア情報のランク別に地図デザイン記憶部２２４に記憶しておく。地図デザイン決定部２１５は、地域特定部２１３で特定した地域が都道府県レベルか市区町村レベルかを判定する。次に、地域特定部２１３で特定した地域が都道府県レベルの場合は、地図デザイン記憶部２２４を参照し、都道府県レベルの地図デザインの中から、表示範囲特定部２１２が特定した種類のエリア情報であり、且つ、地域特定部２１３で特定した地域の代表エリア情報のランクに該当する地図デザインを取得し、その取得した地図デザインを基に、地域特定部２１３で特定した地域の代表エリア情報に対応する地図デザインを決定する。また、地域特定部２１３で特定した地域が市区町村レベルの場合は、地図デザイン記憶部２２４を参照し、市区町村レベルの地図デザインの中から、地域特定部２１３で特定した地域の代表エリア情報に対応する地図デザインを決定する。地図デザイン決定部２１５は、地図デザイン記憶部２２４に記憶されている複数の地図デザインを使って各地域の代表エリア情報に対応する地図デザインを決定してもよい。例えば、エリア情報が気温情報の場合は、基点温度（１０℃、２０℃、３０℃など）毎の地図デザインを地図デザイン記憶部２２４に記憶する。具体的には、基点温度１０℃の地図デザインは、R=0,G=255,B=191とし、２０℃の地図デザインは、R=0,G=255,B=0とし、３０℃の地図デザインは、R=191,G=255,B=0とする。地図デザイン決定部２１５は、地域特定部２１３で特定した地域の代表気温が１５℃の場合、基点温度１０℃、２０℃の地図デザインを線形補完し、R=0,G=255,B=95の地図デザインを使用する。また、地域特定部２１３で特定した地域の代表気温が２５℃の場合、基点温度２０℃、３０℃の地図デザインを線形補完し、R=95,G=255,B=0の地図デザインを使用する。
【００２４】
地図表示制御部２１６は、地図デザイン決定部２１５で決定した地図デザインでナビゲーション地図上の各地域を描画した地図画像の情報を利用者端末１に送信し、利用者端末１で表示する。地図画像は、例えば、ベクタ形式で描画する。地図画像の描画形式は特に限定せず、例えば、ラスタ形式であってもよい。
【００２５】
記憶部２２は、地図表示装置２で使用する各種情報を記憶する。記憶部２２は、地図情報記憶部２２１、経路情報記憶部２２２、エリア情報記憶部２２３を含んでいる。
【００２６】
地図情報記憶部２２１は、表示用の地図データを表示縮尺に対応付けて記憶する。例えば、地図データを1/1500、1/3000、1/8000、1/21000、1/75000、1/15万、1/30万、1/90万、広域（1/150万）、全国（1/780万）の表示縮尺に対応付けて記憶する。地図データには、背景地図を構成するために必要な地形、建物、道路、施設、注記などの情報が含まれており、その情報は表示縮尺毎に異なっている。例えば、地域名を例に具体的に説明すると、表示縮尺が小さい場合には都道府県名を地図データに含め、表示縮尺が中程度である場合には上記に加えて更に市区町村名を地図データに含め、表示縮尺が大きい場合には上記に加えて更に町丁名・小字を地図データに含める。
【００２７】
経路情報記憶部２２２は、道路ネットワークデータを記憶する。道路ネットワークデータには、ノードと、ノード間をつなぐリンクと、が含まれる。各リンクには、そのリンクが表す道路の距離、平均移動時間（旅行時間）が、リンクコストとして対応付けられている。道路ネットワークデータは、移動手段（徒歩、自動車、自転車など）別に記憶している。
【００２８】
エリア情報記憶部２２３は、エリア情報取得部２１４が取得した各種エリア情報をエリア単位で記憶する。
【００２９】
地図デザイン記憶部２２４は、複数の地図デザインをエリア情報の種類及びエリア情報のランク別に記憶する。
【００３０】
＜地図表示装置２の処理動作例＞
次に、図３を参照しながら、地図表示装置２で行う処理動作例について説明する。図３は、地図表示処理動作例を示す図である。
【００３１】
地図表示装置２は、利用者端末１からナビゲーション地図の表示要求を受け付けた場合（ステップＳ１/Ｙｅｓ）、表示要求に含まれるエリア情報の種類を特定する。また、表示要求に含まれる表示対象地図の中心地点の緯度経度、表示縮尺等を基に、利用者端末１に提供するナビゲーション地図の表示範囲を特定する（ステップＳ２）。
【００３２】
次に、地図表示装置２は、ナビゲーション地図の表示範囲内で表示する各地域を特定する（ステップＳ３）。
【００３３】
次に、地図表示装置２は、表示対象地域のエリア情報をメッシュ単位で取得する（ステップＳ４）。
【００３４】
次に、地図表示装置２は、ステップＳ４で取得したメッシュ単位のエリア情報を基に、ステップＳ３で特定した地域単位の代表エリア情報を算出する（ステップＳ５）。
【００３５】
次に、地図表示装置２は、ステップＳ５で算出した代表エリア情報に応じた地図デザインを地域単位で決定する（ステップＳ６）。
【００３６】
次に、地図表示装置２は、ステップＳ６で決定した地図デザインで各地域を描画した地図画像の情報を利用者端末１に送信し、利用者端末１で表示する（ステップＳ７）。
【００３７】
＜本実施形態の地図表示システムの作用・効果＞
本実施形態の地図表示装置２は、上記処理により、利用者端末１で表示するナビゲーション地図上の各地域の地図デザインを各地域のエリア情報に応じて異ならせることができる。その結果、利用者端末１の利用者は、ナビゲーション地図上に表示される各地域の地図デザインを見るだけで、各地域のエリア情報を把握することができる。これにより、例えば、天気地図等の別アプリを起動しなくても、ナビゲーション地図において各地域の気象情報を把握しながら、目的地を設定することができる。また、ナビゲーション地図において目的地までの経路上の各地域の気象情報を把握することができる。
【００３８】
（第２の実施形態）
次に、第２の実施形態について説明する。
【００３９】
第１の実施形態は、図３に示すように、ナビゲーション地図の表示要求を受け付けた段階で（ステップＳ１/Ｙｅｓ）、地図上に表示する各地域のエリア情報を取得している（ステップＳ４）。
【００４０】
第２の実施形態は、図４に示すように、各種のエリア情報を予め取得する（ステップＡ１）。地図表示装置２は、エリア情報をメッシュ単位で取得した場合、そのメッシュ単位のエリア情報を基に、地域単位の代表エリア情報を算出する（ステップＡ２）。次に、上記算出した代表エリア情報に応じた地図デザインを地域単位で決定する（ステップＡ３）。地域単位で決定した地図デザインは、エリア情報の種類及び地域に紐付けて地図デザイン記憶部２２４に記憶する。
【００４１】
次に、地図表示装置２は、利用者端末１からナビゲーション地図の表示要求を受け付けた場合（ステップＡ４/Ｙｅｓ）、表示要求に含まれるエリア情報の種類を特定する。また、表示要求に含まれる表示対象地図の中心地点の緯度経度、表示縮尺等を基に、利用者端末１に提供するナビゲーション地図の表示範囲を特定する（ステップＡ５）。
【００４２】
次に、地図表示装置２は、ナビゲーション地図の表示範囲内で表示する各地域を特定する（ステップＡ６）。
【００４３】
次に、地図表示装置２は、ステップＡ５で特定したエリア情報の種類を基に、ステップＡ６で特定した各地域の地図デザインを決定する（ステップＡ７）。具体的には、地図表示装置２は、地図デザイン記憶部２２４を参照し、ステップＡ５で特定したエリア情報の種類およびステップＡ６で特定した地域に紐付けられている地図デザインの情報を地図デザイン記憶部２２４から取得する。これにより、地図表示装置２は、地図デザイン記憶部２２４に記憶されている複数の地図デザインの中から、利用者端末１で表示するナビゲーション地図上の各地域の地図デザインを決定することができる。
【００４４】
次に、地図表示装置２は、ステップＡ７で決定した地図デザインで各地域を描画した地図画像の情報を利用者端末１に送信し、利用者端末１で表示する（ステップＡ８）。
【００４５】
＜本実施形態の地図表示システムの作用・効果＞
本実施形態の地図表示装置２は、各種のエリア情報を情報提供装置３から予め取得し、その取得したエリア情報に応じた地図デザインを、エリア情報の種類及び地域に紐付けて地図デザイン記憶部２２４に記憶する。このため、地図表示装置２は、地図の表示要求を受け付けた段階で、エリア情報を取得しなくとも、地図デザイン記憶部２２４に記憶されている複数の地図デザインの中から、利用者端末１で表示するナビゲーション地図上の各地域の地図デザインを決定することができる。
【００４６】
＜変形例＞
上述した実施形態は、本発明の好適な実施形態であり、上述した実施形態のみに本発明の範囲を限定するものではなく、本発明の要旨を逸脱しない範囲において種々の変更を施した形態での実施が可能である。
【００４７】
（変形例１）
上述した実施形態の処理動作例では、地図表示装置２は、エリア情報をメッシュ単位で取得し、そのメッシュ単位のエリア情報を基に、地域単位の代表エリア情報を算出し、その代表エリア情報に応じた地図デザインを決定している。しかし、エリア情報を地域単位で取得した場合は、地域単位の代表エリア情報を算出せず、地域単位で取得したエリア情報に応じた地図デザインを地域単位で決定するようにしてもよい。例えば、エリア情報を行政区分ポリゴン単位で取得した場合は、そのエリア情報に応じた地図デザインを行政区分ポリゴン単位で決定する。これにより、代表エリア情報を算出しなくとも、エリア情報をそのまま利用して各地域の地図デザインを決定することができる。
【００４８】
（変形例２）
上述した実施形態では、地図表示装置２は、利用者端末１からナビゲーション地図の表示要求を受け付けた場合に、利用者端末１で表示するナビゲーション地図上の各地域の地図デザインを各地域のエリア情報に応じて変更するようにしている。しかし、利用者端末１でナビゲーション地図を表示した状態で、そのナビゲーション地図上の各地域のエリア情報を地図表示装置２が新規に取得した場合に、その新規に取得したエリア情報に応じて、利用者端末１で表示しているナビゲーション地図上の各地域の地図デザインを変更するようにしてもよい。これにより、地図表示装置２が定期的に取得したエリア情報の変化に応じて、利用者端末１で表示しているナビゲーション地図上の各地域の地図デザインを変更することができる。
【００４９】
（変形例３）
上述した実施形態において、複数種類のエリア情報を用いて地図デザインを変更するようにしてもよい。例えば、気温と天気（晴、曇、雨、雪など）のエリア情報を用いて地図デザインを変更してもよい。これにより、ナビゲーション地図上の各地域の地図デザインを見るだけで、各地域の気温と天気を同時に把握することができる。
【００５０】
（変形例４）
各地域のエリア情報に応じて異ならせる各地域の描画デザインは、上述した各地域の地図デザインだけに限定せず、例えば、各地域名や各地域で表示される施設情報などであってもよい。地図表示装置２は、利用者端末１で表示するナビゲーション地図上の各地域の描画デザインを、各地域のエリア情報に応じて異ならせることで、利用者端末１の利用者は、ナビゲーション地図上に表示される各地域の描画デザインを見て、各地域のエリア情報を把握することができる。各地域名や各地域で表示する施設情報を各地域のエリア情報に応じて異ならせる場合は、地図上に表示する他の注記などよりも強調して地図上に表示することが好ましい。例えば、各地域名や施設情報の表示サイズを他の注記などよりも大きくする。または、各地域名や施設情報を他の注記などよりも優先的に地図上に表示する。具体的には、表示対象の各地域名または施設情報を地図から抽出し、表示対象の各地域名または施設情報のみで構成する別レイヤを作成する。別レイヤを構成する各地域名や施設情報は、各地域のエリア情報に応じて異ならせる。また、上記抽出した各地域名または施設情報を地図から削除した背景地図（ベース地図）を作成する。地図表示装置２は、背景地図上に別レイヤを重畳した地図画像を作成する。これにより、各地域名や施設情報を他の注記などよりも優先的に地図上に表示することができる。利用者端末１で表示するナビゲーション地図上の各地域の施設情報を各地域のエリア情報に応じて異ならせる場合は、例えば、以下のようにすることも可能である。ナビゲーション地図の表示対象地域が上野であり、その地域のエリア情報の天気が雨で、気温が１０℃の場合は、雨でも観光できる美術館などの屋内施設や、暖かい食べ物が人気の施設を上野地域の地図上に表示する。また、エリア情報の天気が晴で、気温が３０℃の場合は、晴に最適な上野公園、上野動物園などの施設や、冷たい食べ物が人気の施設を上野地域の地図上に表示する。各地域のエリア情報に応じて各地域の地図上に表示する施設情報は、例えば、以下の方法で特定することができる。まず、天気が雨で気温が１０℃のエリア情報の環境条件下において各地域の利用人数の高い施設を分析して特定し、その特定した各地域の施設を上記エリア情報に紐付けて記憶部２２に記憶しておく。これにより、地図表示装置２は、記憶部２２を参照し、各地域のエリア情報に紐付いた施設を、各地域の地図上に表示することができる。このように、本実施形態の地図表示装置２は、例えば、表示対象地域の気象情報に応じて、当該気象情報の地域で表示する施設情報を決定し、その決定した施設情報をナビゲーション地図上に描画した地図画像を利用者端末１上に表示するようにする。その結果、利用者端末１の利用者は、各地域の気象環境下において当該利用者が利用しやすい最適な施設をナビゲーション地図上で把握することができる。
【００５１】
（変形例５）
上述した本実施形態の利用者端末１、地図表示装置２、情報提供装置３を構成する各部の制御動作は、ハードウェア、または、ソフトウェア、あるいは、両者の複合構成を用いて実行することも可能である。
【００５２】
ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータ内のメモリにインストールして実行させることが可能である。
【００５３】
例えば、プログラムは、記録媒体としてのハードディスクやＲＯＭに予め記録しておくことが可能である。あるいは、プログラムは、リムーバブル記録媒体に一時的、あるいは、永続的に記録しておくことが可能である。このようなリムーバブル記録媒体は、いわゆるパッケージソフトウエアとして提供することが可能である。リムーバブル記録媒体は、磁気ディスク、半導体メモリなどの各種記録媒体があげられる。
【００５４】
なお、プログラムは、上述したようなリムーバブル記録媒体からコンピュータにインストールすることになる。また、ダウンロードサイトからコンピュータに無線で転送することになる。また、ネットワークを介してコンピュータに有線で転送することになる。
【００５５】
プログラムの形態としては、クラウド等によるネット上のサーバからの利用もありえる。一部のプログラムのみをコンピュータに転送して利用する形態もありえる。
【００５６】
（変形例６）
上述した実施形態の地図表示システムを構成する各部は、上述した実施形態で説明した処理動作に従って時系列的に処理を実行するだけに限定するものでない。例えば、処理を実行する装置の処理能力、あるいは、必要に応じて並列的にあるいは個別に処理を実行するように構築することも可能である。また、上述した実施形態の地図表示システムの各機能を複数の情報処理装置の協働によって実現してもよく、上述した記憶部２２、３２に記憶した情報のうちの少なくとも一部は、他の装置の内部／外部記憶装置に記憶されていてもよく、例えばクラウド上に構築されていてもよい。
【符号の説明】
【００５７】
１    利用者端末
１１    制御部
１２    記憶部
１３    入出力部
１４    位置情報取得部
２    地図表示装置
２１    制御部
２１１    情報受付部
２１２    表示範囲特定部
２１３    地域特定部
２１４    エリア情報取得部
２１５    地図デザイン決定部
２１６    地図表示制御部
２２    記憶部
２２１    地図情報記憶部
２２２    経路情報記憶部
２２３    エリア情報記憶部
２２４    地図デザイン記憶部
３    情報提供装置
３１    制御部
３２    記憶部
ＮＷ    ネットワーク
【図１】
2020134701.tif 000003
【図２】
2020134701.tif 000004
【図３】
2020134701.tif 000005
【図４】
2020134701.tif 000006